(57)【要約】【課題】エンドユーザが剥離シートを剥離しやすく、かつ、受取側でも開封しやすい隠蔽ラベル付きシートを提供する。【解決手段】隠蔽ラベル付きシート１０は、シート基材１１と、隠蔽ラベル部２０と、接着構造３０などとを備え、シート基材１１は、折り線１２をはさんで配置された返信はがき１３及び往信はがき１４を有する基材であり、返信はがき１３上には、必要事項を記入するための記入面１５が設けられ、隠蔽ラベル部２０は、往信はがき１４上に配置され、透明紙２１、粘着剤２２及び剥離紙２３が順に積層されたものであり、剥離紙２３は、剥離の開始予定位置となる左下部分の剥離開始位置Ａ及び剥離紙２３の右端側の剥離開始位置Ｂとを有し、接着構造３０は、往信はがき１４と透明紙２１とを、略全面を剥離可能な剥離構造によって、かつ、剥離開始位置Ａ、Ｂに対応する部分を強接着部によって貼り合わせるものである。【選択図】図１
2006123366.tif 000002
【特許請求の範囲】
【請求項１】
折り線をはさんで配置された第１及び第２の領域を有するシート基材と、
前記第１の領域上に設けられた秘匿情報欄と、
前記第２の領域上に配置され、透明性基材、前記秘匿情報欄に粘着するための粘着剤層、及び、剥離開始位置を有する剥離シートが順に積層された隠蔽ラベル部と、
前記第２の領域と前記透明性基材とを、略全面を剥離可能な剥離構造によって、かつ、少なくとも前記剥離開始位置に対応する部分を前記粘着剤層と前記剥離シートとの接着力よりも強い接着力を有する強接着部によって貼り合わせる接着構造とを備え、
前記強接着部によって前記剥離構造の剥離を防止しつつ、前記剥離開始位置から剥離シートを剥離して前記粘着剤層を表出させ、前記シート基材を前記折り線で折り畳み、前記隠蔽ラベル部で前記秘匿情報欄を隠蔽した後に、この隠蔽ラベル付きシートを開封すると、前記隠蔽ラベル部が前記秘匿情報欄側に移ること、
を特徴とする隠蔽ラベル付きシート。
【請求項２】
請求項１に記載の隠蔽ラベル付きシートにおいて、
前記剥離開始位置は、前記剥離シートの周縁部の一部又は全部に位置すること、
を特徴とする隠蔽ラベル付きシート。
【請求項３】
請求項２に記載の隠蔽ラベル付きシートにおいて、
前記剥離開始位置は、前記剥離シートの左下付近に位置すること、
を特徴とする隠蔽ラベル付きシート。
【請求項４】
請求項１から請求項３までのいずれか１項に記載の隠蔽ラベル付きシートにおいて、
前記シート基材は、開封時に前記強接着部を分離する分離予定線を備えること、
を特徴とする隠蔽ラベル付きシート。
【請求項５】
請求項１から請求項４までのいずれか１項に記載の隠蔽ラベル付きシートにおいて、
この隠蔽ラベル付きシートは、往復はがきであって、
前記第１及び第２の領域は、返信及び往信はがき部であり、
前記秘匿情報欄は、必要事項を記入する記入面であること、
を特徴とする隠蔽ラベル付きシート。
【発明の詳細な説明】
【技術分野】
【０００１】
本発明は、往復はがきなどに好適に利用できる隠蔽ラベル付きシートに関するものである。
【背景技術】
【０００２】
図３〜図５は、従来の隠蔽ラベル付き往復はがきの一例を示す図である。
従来の隠蔽ラベル付き往復はがき１０Ａは、図３に示すように、複数の粘着剤２２−１、２２−２を有するダブルタックを使った隠蔽ラベル（積層ラベル）２０Ａを、往信はがき１４の表面の一部に設けている形態であったが、以下の課題があった。
（１）ダブルタックを使った隠蔽ラベルは、非常に高価である。
（２）高価であるが故に、ラベルサイズを可能な限り切り詰めざるを得ない。
（３）逆にコストアップになっても隠蔽ラベルを大きくしたい場合は、サイズを確保するために、往信はがき１４の裏面（通信文記載面）に隠蔽ラベル２０Ａを設けるしかなく、隠蔽ラベル２０Ａの貼り替え作業が行いにくい。
【０００３】
前述の（１）について言えば、ラベルの貼り込み方式によって差はあるものの、最も一般的な方法の場合、ラベラという機械で往信はがき１４の所定位置に隠蔽ラベル２０Ａを設けなければならないため、はがきへの貼り込みを容易にするための粘着剤（タック）２２−１と、返信はがき１３への貼り替えで使用する粘着剤（タック）２２−２が必要なため、２層の粘着剤が必要となり、結果としてダブルタックとなってしまう。
【０００４】
また、前述の（２）について言えば、図４に示すように、隠蔽ラベル２０Ｂ自体を小さくすれば安価になると同時に、往信はがき１４の下半分に貼っておくことが可能となり、返信はがき１３への記入面１５と同一平面上に存在することから、はがきの受取人には直感的にわかりやすい形態とはなるものの、隠蔽したい記入面１５を小さく設計する必要性が生じ、記入しづらいものとなってしまう。
【０００５】
前述の（３）は、（２）の課題を解消するため、コストを度外視した形態であり、図５に示すように、往信はがき１４の裏面に、大きな隠蔽ラベル２０Ｃを貼り込んでいる。この場合は、記入面１５と隠蔽ラベル２０Ｃとが表裏関係となってしまうため、貼り込み作業が直感的にわかりづらく、行いにくい、という状況がある。なお、返信はがき１３にラベルなどを添付することは、郵便規則面で不可能である。
【０００６】
これらの課題を解消するために、本件出願人は、新たな形態の隠蔽ラベル付き往復はがき（隠蔽ラベル）をすでに出願している（例えば、特許文献１）。
図６は、出願した隠蔽ラベル付き往復はがきを示す図である。
図６に示すように、隠蔽ラベル付き往復はがき１０Ｄは、上述したように、『特殊な積層ラベルを貼り替える』のではなく、隠蔽ラベル２０Ｄの剥離紙２３を剥離し、全体を折り畳むだけで完成する（隠蔽できる）構成となっており、直感的に理解しやすい形態になっている。
【０００７】
しかし、隠蔽ラベル付き往復はがき１０Ｄは、エンドユーザが剥離紙２３を剥離しようとしたときに、その下の剥離構造１６を開けてしまうことがある。
このような場合には、エンドユーザは、記入面が隠蔽できないと困るので、自ら糊付けしたり、テープ留めしたりして対応するが、結局は、受取側の開封が困難になってしまっていた。
【特許文献１】特開２００４−１０２１８８号公報
【発明の開示】
【発明が解決しようとする課題】
【０００８】
本発明の課題は、エンドユーザが剥離シートを剥離しやすく、かつ、受取側でも開封しやすい隠蔽ラベル付きシートを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、折り線（１２）をはさんで配置された第１及び第２の領域（１３、１４）を有するシート基材（１１）と、前記第１の領域（１３）上に設けられた秘匿情報欄（１５）と、前記第２の領域（１４）上に配置され、透明性基材（２１）、前記秘匿情報欄（１５）に粘着するための粘着剤層（２２）、及び、剥離開始位置（Ａ、Ｂ）を有する剥離シート（２３）が順に積層された隠蔽ラベル部（２０）と、前記第２の領域（１４）と前記透明性基材（２１）とを、略全面を剥離可能な剥離構造（３１、３２）によって、かつ、少なくとも前記剥離開始位置（Ａ、Ｂ）に対応する部分を前記粘着剤層（２２）と前記剥離シート（２３）との接着力よりも強い接着力を有する強接着部（３１）によって貼り合わせる接着構造（３０）とを備え、前記強接着部（３１）によって前記剥離構造（３１、３２）の剥離を防止しつつ、前記剥離開始位置（Ａ、Ｂ）から剥離シート（２３）を剥離して前記粘着剤層（２２）を表出させ、前記シート基材（１１）を前記折り線（１２）で折り畳み、前記隠蔽ラベル部（２０）で前記秘匿情報欄（１５）を隠蔽した後に、この隠蔽ラベル付きシートを開封すると、前記隠蔽ラベル部（２０）が前記秘匿情報欄（１５）側に移ること、を特徴とする隠蔽ラベル付きシートである。
請求項２の発明は、請求項１に記載の隠蔽ラベル付きシートにおいて、前記剥離開始位置（Ａ、Ｂ）は、前記剥離シート（２３）の周縁部の一部又は全部に位置すること、を特徴とする隠蔽ラベル付きシートである。
請求項３の発明は、請求項２に記載の隠蔽ラベル付きシートにおいて、前記剥離開始位置（Ａ）は、前記剥離シート（２３）の左下付近に位置すること、を特徴とする隠蔽ラベル付きシートである。
請求項４の発明は、請求項１から請求項３までのいずれか１項に記載の隠蔽ラベル付きシートにおいて、前記シート基材（１１）は、開封時に前記強接着部（３１）を分離する分離予定線を備えること、を特徴とする隠蔽ラベル付きシートである。
請求項５の発明は、請求項１から請求項４までのいずれか１項に記載の隠蔽ラベル付きシートにおいて、この隠蔽ラベル付きシートは、往復はがきであって、前記第１及び第２の領域（１３、１４）は、返信及び往信はがき部であり、前記秘匿情報欄（１５）は、必要事項を記入する記入面であること、を特徴とする隠蔽ラベル付きシートである。
【発明の効果】
【００１０】
本発明によれば、剥離シートの剥離開始位置に対応する部分に強接着部を設けているので、剥離シートを剥離しても、その下の剥離構造を開けてしまうことがない。
したがって、エンドユーザが自ら糊付けしたり、テープ留めしたりして対応することがなくなり、受取側での開封作業も容易である。
【発明を実施するための最良の形態】
【００１１】
本発明は、エンドユーザが剥離シートを剥離しやすく、かつ、受取側でも開封しやすい隠蔽ラベル付きシートを提供するという目的を、剥離シートの剥離開始位置に対応する部分を接着剤で強接着することにより実現する。
【実施例】
【００１２】
以下、図面等を参照して、本発明の実施例について、さらに詳しく説明する。
図１は、本発明による隠蔽ラベル付きシートの実施例を示す図である。
本実施例の隠蔽ラベル付きシート１０は、往復はがきを例にした隠蔽ラベル付き往復はがきであって、シート基材１１と、隠蔽ラベル部２０と、接着構造３０などとを備える。
【００１３】
シート基材１１は、往復はがきの本体であって、折り線１２をはさんで配置された返信はがき（返信はがき部、第１の領域）１３、及び、往信はがき（往信はがき部、第２の領域）１４を有する基材であり、返信はがき１３上には、必要事項を記入するための記入面（秘匿情報欄）１５が設けられている。
【００１４】
隠蔽ラベル部２０は、往信はがき１４上に配置され、透明紙（透明性基材）２１、記入面１５と粘着するための粘着剤（粘着剤層）２２、及び、往信用の宛名欄を有する剥離紙（剥離シート）２３が順に積層されたものである。
剥離紙２３は、剥離の開始の予定位置となる剥離開始位置を備え、本実施例では、剥離紙２３の左下部分の剥離開始位置Ａと、剥離紙２３の右端側の剥離開始位置Ｂとを有するが、実際には、剥離開始位置Ａからの剥離を想定している。
【００１５】
接着構造３０は、往信はがき１４と透明紙２１とを、略全面を剥離可能な剥離構造（接着剤３１／剥離インキ３２）によって、かつ、剥離開始位置Ａ、Ｂに対応する部分を粘着剤２２と剥離紙２３との接着力よりも著しく強い接着力を有する強接着部（接着剤３１）によって貼り合わせるものである。
【００１６】
次に、本実施例による隠蔽ラベル付きシート１０の使用方法を説明する。
図２は、隠蔽ラベル付きシート１０の使用方法を示す図である。
まず、図２（Ａ）に示すように、記入面１５に必要事項を記入する。
ついで、図２（Ｂ）に示すように、強接着部（接着剤３１）によって剥離構造（接着剤３１／剥離インキ３２）の剥離を防止しつつ、剥離開始位置Ａから剥離紙２３を剥離して、粘着剤２２を表出させる。
さらに、図２（Ｃ）に示すように、記入面１５に粘着剤２２を粘着させるように、シート基材１１を折り線１２で折り畳み、隠蔽ラベル部２０で記入面１５を隠蔽する。
そして、この状態で、郵便ポストへ投函する。
【００１７】
受取人側で、この隠蔽ラベル付きシート１０を開封すると、図２（Ｄ）に示すように、隠蔽ラベル部２０が返信はがき１３の記入面１５側に移り、記入面１５は、透明紙２１で覆われているので目視可能である。なお、強接着部は剥離しにくい状態にあるので、その接着部分のシート基材１１は、一部が剥がれて開封される。
【００１８】
このように、本実施例によれば、剥離紙２３の剥離開始位置Ａ、Ｂに対応する部分に強接着部を設けているので、剥離紙２３を剥離しても、その下の剥離構造を開けてしまわない。したがって、エンドユーザが自ら糊付けしたり、テープ留めしたりして対応することがなくなり、受取側での開封も容易である。
また、強接着部は、左端側全部ではなく、左下部分に設けているので、隠蔽後には、左上部分から問題なく開封できる。
【００１９】
一方、往復はがきには、厳格な規格があり、往信はがき１４と返信はがき１３とは、上述したような位置関係に限定され、隠蔽ラベル部２０が郵送途中で脱落してしまわないように、強接着部が必要となってくる。
【００２０】
そこで、まず、強接着部を左端側全部に設けることが考えられるが、この場合は、隠蔽された返信はがき１３を開封する際に、開封しにくくなってしまう。
つぎに、強接着部を右端側全部に設けることが考えられるが、一般に、右利きの人が多いため、剥離紙２３を剥離する場合には、右下から左上より、左下から右上の方が「自然」である。この現象をふまえて、右下に『必ずここから開封してください』と書いておいても、じっくり読まない人も多く、その結果、左下から開封してしまう人が少なくない。また、左下に『ここから開けないでください』という否定的な文言は入れにくい。
【００２１】
したがって、本実施例のように、強接着部を「左下部分＋右端側全部」に設けることによって、上述した問題をすべて解消することができ、エンドユーザ側では、右利きであっても左利きであっても通常の自然な動作で剥離紙２３を剥離でき、受取側では、開封作業が行いやすく、どちらにとっても良好な形態となる。
【００２２】
（変形例）
以上説明した実施例に限定されることなく、種々の変形や変更が可能であって、それらも本発明の均等の範囲内である。
例えば、隠蔽ラベル付きシートは、往復はがきの例で説明したが、貯金口座振替依頼用の往復はがきや、通常の申込書などに利用してもよい。
【００２３】
また、強接着部は、「左下部分＋右端側全部」の例で説明したが、「左上部分＋左下部分＋右端側全部」などとして、剥離紙２３の４つ角に対応する部分に強接着部を設けるようにしてもよい。このようにすれば、剥離紙２３が、どの部分から剥離されるかわからない場合に有効であり、また、４つ角部分が強接着されることによって、隠蔽後の開封作業を行いにくくなることも想定されるが、開封者は業者側なので、開封作業の教育も可能であり問題ない。
【００２４】
さらに、シート基材１１には、強接着部の周辺や内側に、マイクロミシン目やミシン目などの分離予定線を設け、開封時には、その分離予定線で強接着部を分離するようにしてもよい。このようにすれば、強接着部を剥離する必要がなくなり、分離予定線で折り曲げることによって、より簡単に開封できる。
【図面の簡単な説明】
【００２５】
【図１】本発明による隠蔽ラベル付きシートの実施例を示す図である。
【図２】隠蔽ラベル付きシート１０の使用方法を示す図である。
【図３】従来の隠蔽ラベル付き往復はがきの一例を示す図である。
【図４】従来の隠蔽ラベル付き往復はがきの一例を示す図である。
【図５】従来の隠蔽ラベル付き往復はがきの一例を示す図である。
【図６】出願した隠蔽ラベル付き往復はがきを示す図である。
【符号の説明】
【００２６】
１０  隠蔽ラベル付きシート
１０Ａ〜１０Ｄ  隠蔽ラベル付き往復はがき
１１  シート基材
１２  折り線
１３  返信はがき（返信はがき部、第１の領域）
１４  往信はがき（往信はがき部、第２の領域）
１５  記入面（秘匿情報欄）
２０  隠蔽ラベル部
２１  透明紙（透明性基材）
２２  粘着剤（粘着剤層）
２３  剥離紙（剥離シート）
３０  接着構造
３１  接着剤
３２  剥離インキ
Ａ、Ｂ  剥離開始位置
【図１】
2006123366.tif 000003
【図２】
2006123366.tif 000004
【図３】
2006123366.tif 000005
【図４】
2006123366.tif 000006
【図５】
2006123366.tif 000007
【図６】
2006123366.tif 000008